(57)【要約】 【課題】  個人情報を分断する際に破れにくい構造の個人情報保護シートを提供する。【解決手段】  個人情報保護シート１０は、情報表示シート１３と、その裏面に積層された基材シート１５とからなり、両者は互いに剥離可能に接着されている。基材シート１５には、その周縁部１５Ｂと内側領域１５Ｃとを切り離すための切れ目１９が形成され、情報表示シート１３には、基材シート１５の内側領域１５Ｃと重なる領域のうちの一部領域１３Ｂを残りの残部領域１３Ｃから切り離すための閉じたループ状の切れ目２１が形成されている。廃棄する際に内側領域１５Ｃの角部１５Ｄをつまんで、内側領域１５Ｃを情報表示シート１３から剥離する。すると、一部領域１３Ｂは、基材シート１５の内側領域１５Ｃに貼り付いた状態で、周縁部１５Ｂに貼り付いた状態の残部領域１３Ｃから分離される。【選択図】  図３
2005059541.tif 000002
【特許請求の範囲】
【請求項１】
個人情報を記載するための情報表示シートと、その裏面側に積層された基材シートとからなり、前記両シートは互いに接着層を介して剥離可能に重ね合わされて一枚のシートを構成すると共に、
前記基材シートには、その周縁部と内側領域とを切り離すための切れ目が予め設けられているとともに、
前記情報表示シートには、前記基材シートの前記内側領域と重なる領域のうちの一部領域を残りの残部領域から切り離すための閉じたループ状の前記接着層も貫通する切れ目が予め設けられていることを特徴とする個人情報保護シート。
【請求項２】
前記個人情報保護シートは矩形状であり、前記一部領域は、前記個人情報保護シートの短辺に対して傾斜するように設けられていることを特徴とする請求項１に記載の個人情報保護シート。
【発明の詳細な説明】
【技術分野】
【０００１】
本発明は、個人情報保護シートに関する。
【背景技術】
【０００２】
従来、例えばダイレクトメール等の郵便物に、宛先としての個人の住所や名前の印刷されたタックシールが貼付されている場合が多いが、このようなタックシールが貼付された封書や葉書等を受取人が廃棄した場合に、廃棄されたゴミから個人情報が漏洩してしまうおそれがある。特に最近では、環境問題からゴミの分別化がどの地域でも積極的に推進されており、それに伴ってゴミ袋の中身が外側からもある程度わかるように、透明や半透明のゴミ袋が多く使用されるようになっている。このため、ゴミ袋の外側から一見するだけで、例えば郵便物の宛先からゴミの廃棄人が簡単に特定され、どうような郵便物がどこから届いているか、またどのようなゴミが捨てられているか等がわかってしまうため、ゴミを廃棄する側からしてみれば好ましくない。このような個人情報が簡単にわからないようにするためには、ゴミを廃棄する側が郵便物の住所や名前の表示された部分をわざわざ見えないようにするために折り込んだり、シュレッダー等で細かく切り刻んだりしなければならず、面倒であった。
【０００３】
そこで、図９に示す、予め情報記載領域に切れ目を入れ個人情報が分断されるようにしたものが提案されている（例えば、特許文献１参照）。これによれば、情報表示シートの情報記載領域の一部は切れ目によって他の領域から切り離し可能とされ、廃棄する際には情報表示シートの一部領域を剥ぎ取るようにされている。このものでは、個人情報を簡単に読み取ることができない程度まで分断する必要があるため図９に示すように細長い帯状の一部領域が剥離されるように構成されている。
【特許文献１】特開２００１−３０５９６２公報（第３図）
【発明の開示】
【発明が解決しようとする課題】
【０００４】
しかしながら、細長い帯状の一部領域を剥離しようとすると、その強度が弱いために剥がす途中で破れてしまうおそれがあった。もちろん、一部領域の破れを防止するためには慎重に一部領域を剥離すればよいが、これでは剥離するのに手間取ってしまう。
本発明は上記のような事情に基づいて完成されたものであって、個人情報を分断する際に破れにくい構造の個人情報保護シートを提供することを目的とする。
【課題を解決するための手段】
【０００５】
上記の目的を達成するための手段として、請求項１の発明は、個人情報を記載するための情報表示シートと、その裏面側に積層された基材シートとからなり、前記両シートは互いに接着層を介して剥離可能に重ね合わされて一枚のシートを構成すると共に、前記基材シートには、その周縁部と内側領域とを切り離すための切れ目が予め設けられているとともに、前記情報表示シートには、前記基材シートの前記内側領域と重なる領域のうちの一部領域を残りの残部領域から切り離すための閉じたループ状の前記接着層も貫通する切れ目が予め設けられていることを特徴とする個人情報保護シートである。
【０００６】
請求項２の発明は、請求項１に記載のものにおいて、前記個人情報保護シートは矩形状であり、前記一部領域は、前記個人情報保護シートの短辺に対して傾斜するように設けられていることを特徴とする。
【発明の効果】
【０００７】
＜請求項１の発明＞
本請求項の発明によれば、以下の作用効果を奏する。すなわち、情報表示シートに個人情報が記載されている個人情報保護シートを廃棄する際には、基材シート側から、基材シートの切れ目によって基材シートの内側領域とその周縁部を分離しつつ、基材シートの内側領域を情報表示シートから剥離する。
すると、情報表示シートの一部領域は、基材シートの内側領域に貼り付いた状態で、基材シートの周縁部に貼り付いた状態の情報表示シートの残部領域から分離され、その結果、情報表示シートに記載された個人情報は分断される。
このように本請求項の発明によれば、個人情報保護シートを廃棄する場合に、情報表示シートの一部領域及び残部領域ともに、基材シートに支持されて強度が強くなるから破れにくくなる。
【０００８】
＜請求項２の発明＞
一般的に、矩形のシートに個人情報を記載する場合には、短辺に対して平行になるように、又は垂直となるように文字列を記載する。
本請求項の発明によれば、残部領域から分離される一部領域は、個人情報保護シートの一短辺に対して傾斜するように設けられているから、文字が斜めに分断されて分断後の読み取りがさらに困難となる。
【発明を実施するための最良の形態】
【０００９】
以下、本発明の一実施形態を図１ないし図７を参照しつつ説明する。
本実施形態の個人情報保護シート１０は、紙製の情報表示シート１３と、その裏面に積層された紙製の基材シート１５とからなり、両シート１３，１５は互いに接着層１４を介して剥離可能に重ね合わされて一枚のシートとされている。（図３参照）。個人情報保護シート１０は、情報表示シート１３側の情報印刷面１３Ａに伝達情報を印刷し（図５参照）、基材シート１５側の宛名印刷面１５Ａに住所および宛名を印刷する葉書として使用されるものである（図４参照）。
【００１０】
接着層１４には、例えばポリエチレン等のポリオレフィン系重合体等の熱可塑性樹脂が用いられる。熱可塑性樹脂を用いた場合には、例えば、情報表示シート１３と基材シート１５の互いに対向する面に、それぞれ熱可塑性樹脂を予めラミネートし、これらを僅かに溶融して積層圧着することにより、情報表示シート１３と基材シート１５とを剥離可能に接着（いわゆる疑似接着）することができる。なお、熱可塑性樹脂によって、情報表示シート１３と基材シート１５とを接着した場合には、情報表示シート１３と基材シート１５とを分離した後では、両者を再接着することはできない。
【００１１】
基材シート１５には、その周縁部１５Ｂと内側領域１５Ｃとを切り離すための切れ目１９が予め形成されている（図２、図３（Ａ）参照）。
一方、情報表示シート１３には、基材シート１５の内側領域１５Ｃと重なる領域のうちの一部領域１３Ｂを残りの残部領域１３Ｃから切り離すための閉じたループ状の切れ目２１が複数予め形成されている（図１、図３（Ａ）参照）。なお、切れ目２１は、接着層１４も貫通している。
【００１２】
各切れ目２１は、個人情報保護シート１０の短辺１０Ａに対して傾斜しつつ、互いに略平行な２本の直線部と、直線部の両端を結ぶ連結部とからなる閉じたループ状のものであり、短辺１０Ａに対して斜め方向に走る帯状の一部領域１３Ｂを残部領域１３Ｃから分離可能としている。なお、一部領域１３Ｂは、基材シート１５の内側領域１５Ｃと重なる領域のほぼ全面に亘って設けられており、各一部領域１３Ｂが互いに略平行となるようにされている。
【００１３】
次に、上述した本実施形態の個人情報保護シート１０の使用方法について説明する。個人情報保護シート１０を使用する場合には、まず、宛名印刷面１５Ａにプリンタ等により宛先の印字２３の印刷を行う（図３（Ｂ）、図４参照）。一方、情報印刷面１３Ａには、伝達情報の印字２５の印刷を行う（図３（Ｂ）、図５参照）。
【００１４】
受取人がこのような個人情報保護シート１０（郵便物）を廃棄する際には、図６に示すように基材シート１５の内側領域１５Ｃの角部をつまんで、内側領域１５Ｃを情報表示シート１３から剥離する。
【００１５】
すると、情報表示シート１３の一部領域１３Ｂは基材シート１５の内側領域１５Ｃに貼り付いた状態で、残部領域１３Ｃから分離され、その結果、情報表示シート１３に記載された伝達情報の印字２５は断片的に分断され、簡単には読みとれなくなる（図３（Ｃ）、図７参照）。また、剥がし取った内側領域１５Ｃ側の情報も簡単には読みとれないため、例えばこれらを別個に丸めて廃棄すれば、印刷されていた伝達情報が簡単に漏洩することが防止される（図３（Ｃ）、図６参照）。
【００１６】
また、基材シート１５の内側領域１５Ｃを情報表示シート１３から剥離する際に、情報表示シート１３の一部領域１３Ｂは基材シート１５の内側領域１５Ｃに支持されており、残部領域１３Ｃは基材シート１５の周縁部１５Ｂに支持されているから、一部領域１３Ｂ及び残部領域１３Ｃともに強度が強く破れにくくなる。
従って、受取人は、内側領域１５Ｃを情報表示シート１３から剥離する際に、それ程慎重に剥離する必要がなくなり、剥離作業がスムーズに行える。
【００１７】
また、残部領域１３Ｃから分離される一部領域１３Ｂは、個人情報保護シート１０の短辺１０Ａに対して傾斜するように設けられているから、文字が斜めに分断されて分断後の読み取りがさらに困難となる。
さらに、各一部領域１３Ｂが互いに略平行となるようにされているから、各一部領域１３Ｂに沿った方向は一方向（図６の矢印方向）となり、この方向に沿って内側領域１５Ｃを剥離すると、切れ目２１の直線部に沿って剥離することになるから、剥離がスムーズに行える。
【００１８】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）上記実施形態では、個人情報保護シート１０のサイズは、葉書サイズとしたが、サイズは特に限定されず、例えば、Ａ３、Ａ４、Ａ５、Ａ６、Ｂ４、Ｂ５等であってもよい。また、個人情報保護シート１０の用途も特に限定されない。
【００１９】
（２）上記実施形態では、接着層１４は熱可塑性樹脂としたが、特に限定されず、例えば、糊や粘着剤からなるものであってもよい。
【００２０】
（３）上記実施形態では、情報表示シート１３と基材シート１５は、ともに紙としたが、材質は特に限定されず、例えば樹脂フィルムとしてもよい。
【００２１】
（４）上記実施形態では、各一部領域１３Ｂは相互に連結されておらず独立のものとしたが、各一部領域１３Ｂを相互に連結したものとしてもよい。
また、一部領域１３Ｂの形状は、特に限定されず任意形状とすることができる。
【００２２】
（５）上記実施形態では、基材シート１５の周縁部１５Ｂは、枠状としたが、例えば、図８に示すように、その一部が切りかかれた形状としてもよい。
【図面の簡単な説明】
【００２３】
【図１】個人情報保護シートの裏面図
【図２】個人情報保護シートの表面図
【図３】個人情報保護シートのＸ−Ｘ断面図  （図３（Ａ）は、図１のＸ−Ｘ断面図、図３（Ｂ）は印刷後の断面図、図３（Ｃ）は剥離後の断面図）
【図４】個人情報保護シートの表面図
【図５】個人情報保護シートの裏面図
【図６】剥離途中を示す説明図
【図７】剥離途中を示す説明図
【図８】他の実施形態の個人情報保護シートの表面図
【図９】従来例を示す斜視図
【符号の説明】
【００２４】
１０…個人情報保護シート
１０Ａ…短辺
１３…情報表示シート
１３Ａ…情報印刷面
１３Ｂ…一部領域
１３Ｃ…残部領域
１４…接着層
１５…基材シート
１５Ａ…宛名印刷面
１５Ｂ…周縁部
１５Ｃ…内側領域
１９…切れ目
２１…閉じたループ状の切れ目
２３…印字（宛先）
２５…印字（伝達情報）
【図１】
2005059541.tif 000003
【図２】
2005059541.tif 000004
【図３】
2005059541.tif 000005
【図４】
2005059541.tif 000006
【図５】
2005059541.tif 000007
【図６】
2005059541.tif 000008
【図７】
2005059541.tif 000009
【図８】
2005059541.tif 000010
【図９】
2005059541.tif 000011